(57)【要約】  無線局（１）は、第１のパート（１Ａ）及び第２のパート（１Ｂ）を含む。第２のパート（１Ｂ）は、第１のパート（１Ａ）から物理的に分離して配置可能であり、第１のパート（１Ａ）と伝送路（４０）を介して通信可能に接続される。第１のパート（１Ａ）は、複数の無線リソースの各々を複数の移動局又はユーザーデータに対して割り当てる動的スケジューリングを行うことが可能な第１のスケジューリング部（２０Ａ）を有する。第２のパート（１Ｂ）は、複数の移動局のうち当該第２のパート（１Ｂ）に接続する第１の移動局に関する動的スケジューリングの少なくとも一部を第１のスケジューリング部（２０Ａ）に代わって行うことができる第２のスケジューリング部（２０Ｂ）を有する。
2013076898.tif 000002
【特許請求の範囲】
【請求項１】
無線通信ネットワークにおいて使用され、複数の移動局との間でエア・インタフェースを介してダウンリンク・ユーザーデータ及びアップリンク・ユーザーデータを含むユーザーデータの送受信を行うことが可能な無線局であって、
第１のパートと、
前記第１のパートから物理的に分離して配置可能であり、前記第１のパートと伝送路を介して通信可能に接続される第２のパートと、
を備え、
前記第１のパートは、複数の無線リソースの各々を前記複数の移動局又は前記ユーザーデータに対して割り当てる動的スケジューリングを行うことが可能な第１のスケジューリング手段を備え、
前記第２のパートは、
前記複数の移動局のうち当該第２のパートに接続する第１の移動局に対してエア・インタフェースを提供するための周波数変換及び電力増幅の少なくとも一方を含むアナログ信号処理を行うアナログ信号処理手段と、
前記動的スケジューリングのうち前記第１の移動局に関する動的スケジューリングの少なくとも一部を前記第１のスケジューリング手段に代わって行うことが可能な第２のスケジューリング手段と、
を備える、
無線局。
【請求項２】
前記第１及び第２のスケジューリング手段のいずれを使用するかの選択は、前記無線局、前記第１のパート、又は前記第２のパートが処理すべきトラフィック量に基づいて行われる、請求項１に記載の無線局。
【請求項３】
前記第２のパートが処理すべきトラフィック量が所定の基準を下回る場合に前記第２のスケジューリング手段が前記第１の移動局に関する前記動的スケジューリングのために選択される、請求項２に記載の無線局。
【請求項４】
前記第１のパートは、複数の前記第２のパートに接続可能であり、
前記第１及び第２のスケジューリング手段のいずれを使用するかの選択は、前記複数の第２のパートの間での協調制御の要否に基づいて行われる、請求項１に記載の無線局。
【請求項５】
前記第１及び第２のスケジューリング手段のいずれを使用するかの選択は、前記エア・インタフェースにおける再送信の発生状況に基づいて行われる、請求項１に記載の無線局。
【請求項６】
前記第１の移動局又は前記第２のパートにおける再送信の発生回数又は発生率が所定の基準を超える場合に、前記第２のスケジューリング手段が前記第１の移動局に関する前記動的スケジューリングのために選択される、請求項５に記載の無線局。
【請求項７】
前記第１及び第２のスケジューリング手段のいずれを使用するかの選択は、前記第１及び第２のパートの少なくとも一方の負荷状況に基づいて行われる、請求項１に記載の無線局。
【請求項８】
前記第１のパートの負荷が所定の基準を超える場合に、前記第２のスケジューリング手段が前記第１の移動局に関する前記動的スケジューリングのために選択される、請求項７に記載の無線局。
【請求項９】
前記第１及び第２のスケジューリング手段のいずれを使用するかの選択は、前記第１又は第２のスケジューリング手段の処理能力に基づいて行われる、請求項１に記載の無線局。
【請求項１０】
前記第２のスケジューリング手段の処理能力が所定の基準を下回る場合に、前記第１のスケジューリング手段が前記第１の移動局に関する前記動的スケジューリングのために選択される、請求項９に記載の無線局。
【請求項１１】
前記第１及び第２のスケジューリング手段のいずれを使用するかの選択は、前記無線局の消費電力に基づいて行われる、請求項１に記載の無線局。
【請求項１２】
前記第１及び第２のスケジューリング手段のいずれを使用するかの選択は、前記第１のパートに対する電力供給状況に基づいて行われる、請求項１に記載の無線局。
【請求項１３】
前記電力供給状況は、前記第１のパートに電力を供給するバッテリーの充電状況を含む、請求項１２に記載の無線局。
【請求項１４】
前記第１及び第２のスケジューリング手段のいずれを使用するかの選択は、前記第２のパートに対する電力供給状況に基づいて行われる、請求項１に記載の無線局。
【請求項１５】
前記電力供給状況は、前記第２のパートに電力を供給する電力供給手段の自己発電の可否を含む、請求項１４に記載の無線局。
【請求項１６】
前記第１及び第２のスケジューリング手段のいずれを使用するかの選択は、前記ユーザーデータのセキィリティレベル又はQoSクラスに基づいて行われる、請求項１に記載の無線局。
【請求項１７】
前記第１及び第２のスケジューリング手段のいずれを使用するかの選択は、前記ユーザーデータ毎に行われる、請求項１又は１６に記載の無線局。
【請求項１８】
前記第１及び第２のスケジューリング手段のいずれを使用するかの選択は、上位ネットワークと前記無線局の間の暗号化されたベアラ毎に行われる、請求項１又は１６に記載の無線局。
【請求項１９】
前記第１の移動局に関する動的スケジューリングのために前記第１及び第２のスケジューリング手段のどちらを使用するかを決定する手段をさらに備える、請求項１〜１８のいずれか１項に記載の無線局。
【請求項２０】
前記無線局は、外部装置からの指示に基づいて、前記第１の移動局に関する動的スケジューリングのために前記第１及び第２のスケジューリング手段のどちらを使用するかを決定する、請求項１〜１８いずれか１項に記載の無線局。
【請求項２１】
前記第１及び第２のパートは共に、上位ネットワークと前記無線局の間の暗号化された複数のベアラを終端するベアラ終端手段をさらに備え、
前記複数のベアラの終端点を前記第１のパートと前記第２のパートの間で選択できるよう構成されている、
請求項１〜２０のいずれか１項に記載の無線局。
【請求項２２】
前記第１及び第２のスケジューリング手段のいずれを使用するかの選択に応じて、前記第１及び第２のパートのうちいずれのベアラ終端手段を使用するかが決定される、請求項２１に記載の無線局。
【請求項２３】
前記第１のパートは、
上位ネットワークと前記無線局の間の暗号化された複数のベアラを終端するベアラ終端手段と、
前記複数のベアラを終端することにより得られた前記ダウンリンク・ユーザーデータを保持するバッファリング手段と、
をさらに備え、
前記第１の移動局のハンドオーバーに際して、前記バッファリング手段に保持された前記第１の移動局に関するダウンリンク・ユーザーデータをハンドオーバー先の基地局に転送するよう構成されている、
請求項１〜２０のいずれか１項に記載の無線局。
【請求項２４】
前記第２のパートは、前記ダウンリンク・ユーザーデータを前記エア・インタフェースに送信するため、及び前記エア・インタフェースによる受信信号から前記アップリンク・ユーザーデータを復元するための物理レイヤ信号処理を行うベースバンド物理手段をさらに備える、請求項１〜２３のいずれか１項に記載の無線局。
【請求項２５】
前記第２のパートは、前記ダウンリンク・ユーザーデータを前記エア・インタフェースに送信するため、及び前記エア・インタフェースによる受信信号から前記アップリンク・ユーザーデータを復元するためのレイヤ２信号処理を行うベースバンド・レイヤ２手段をさらに備える、請求項２４に記載の無線局。
【請求項２６】
前記第１のパートは、前記ダウンリンク・ユーザーデータを前記エア・インタフェースに送信するため、及び前記エア・インタフェースによる受信信号から前記アップリンク・ユーザーデータを復元するためのレイヤ２信号処理を行うベースバンド・レイヤ２手段をさらに備える、請求項２４に記載の無線局。
【請求項２７】
前記第１のパートは、前記ダウンリンク・ユーザーデータを前記エア・インタフェースに送信するため、及び前記エア・インタフェースによる受信信号から前記アップリンク・ユーザーデータを復元するためのデジタル信号処理を行うことが可能な第１のデジタル信号処理手段をさらに備え、
前記第２のパートは、前記デジタル信号処理のうち前記第１の移動局に関するデジタル信号処理を、前記第１のデジタル信号処理手段に代わって行うことが可能な第２のデジタル信号処理手段をさらに備える、
請求項１〜２３のいずれか１項に記載の無線局。
【請求項２８】
前記第１及び第２のスケジューリング手段のいずれを使用するかの選択に応じて、前記第１及び第２のデジタル信号処理手段うちいずれを使用するかが決定される、請求項２７に記載の無線局。
【請求項２９】
前記デジタル信号処理は、
前記ダウンリンク・ユーザーデータを前記エア・インタフェースに送信するための (i) レイヤ２ヘッダの追加、(ii) データのセグメンテーション／コンカテネーション、(iii) データ多重化による転送フォーマットの生成、(iv) 伝送路符号化、及び (v) 変調、のうち少なくとも１つを含み、
前記エア・インタフェースによる受信信号から前記アップリンク・ユーザーデータを復元するための (i) 復調、(ii) 伝送路復号化、(iii) 転送フォーマットの分解、(iv) 逆セグメンテーション／逆コンカテネーション、及び (v) レイヤ２ヘッダの削除、のうち少なくとも１つを含む、
請求項２７又は２８に記載の無線局。
【請求項３０】
前記無線局は、基地局又は中継局である、請求項１〜２９のいずれか１項に記載の無線局。
【請求項３１】
無線局によるユーザーデータの処理方法であって、
前記無線局は、無線通信ネットワークにおいて使用され、複数の移動局との間でエア・インタフェースを介してダウンリンク・ユーザーデータ及びアップリンク・ユーザーデータを含むユーザーデータの送受信を行うことが可能に構成され、
前記無線局は、第１のパートと、前記第１のパートから物理的に分離して配置可能であり、前記第１のパートと伝送路を介して通信可能に接続される少なくとも１つの第２のパートとを含み、
前記第１のパートは、複数の無線リソースの各々を前記複数の移動局又は前記ユーザーデータに対して割り当てる動的スケジューリングを行うことが可能な第１のスケジューリング手段を含み、
前記第２のパートは、前記動的スケジューリングのうち当該第２のパートに接続する第１の移動局に関する動的スケジューリングの少なくとも一部を前記第１のスケジューリング手段に代わって行うことが可能な第２のスケジューリング手段を含み、
前記処理方法は、
前記第１の移動局に関する前記動的スケジューリングの少なくとも一部のために、前記第１及び第２のスケジューリング手段のうち一方を二者択一的に使用すること、
を備える、ユーザーデータの処理方法。
【請求項３２】
前記二者択一的に使用することは、前記無線局、前記第１のパート、又は前記第２のパートが処理すべきトラフィック量に基づいて、前記第１及び第２のスケジューリング手段のいずれを使用するかを選択することを含む、請求項３１に記載の方法。
【請求項３３】
前記選択することは、前記第２のパートが処理すべきトラフィック量が所定の基準を下回る場合に前記第２のスケジューリング手段を前記第１の移動局に関する前記動的スケジューリングのために選択することを含む、請求項３２に記載の方法。
【請求項３４】
前記第１のパートは、複数の前記第２のパートに接続可能であり、
前記二者択一的に使用することは、前記複数の第２のパートの間での協調制御の要否に基づいて、前記第１及び第２のスケジューリング手段のいずれを使用するかを選択することを含む、請求項３１に記載の方法。
【請求項３５】
前記二者択一的に使用することは、前記エア・インタフェースにおける再送信の発生状況に基づいて、前記第１及び第２のスケジューリング手段のいずれを使用するかを選択することを含む、請求項３１に記載の方法。
【請求項３６】
前記選択することは、前記第１の移動局又は前記第２のパートにおける再送信の発生回数又は発生率が所定の基準を超える場合に、前記第２のスケジューリング手段を前記第１の移動局に関する前記動的スケジューリングのために選択することを含む、請求項３５に記載の方法。
【請求項３７】
前記二者択一的に使用することは、前記第１及び第２のパートの少なくとも一方の負荷状況に基づいて、前記第１及び第２のスケジューリング手段のいずれを使用するかを選択することを含む、請求項３１に記載の方法。
【請求項３８】
前記選択することは、前記第１のパートの負荷が所定の基準を超える場合に、前記第２のスケジューリング手段を前記第１の移動局に関する前記動的スケジューリングのために選択することを含む、請求項３７に記載の方法。
【請求項３９】
前記二者択一的に使用することは、前記第１又は第２のスケジューリング手段の処理能力に基づいて、前記第１及び第２のスケジューリング手段のいずれを使用するかを選択することを含む、請求項３１に記載の方法。
【請求項４０】
前記選択することは、前記第２のスケジューリング手段の処理能力が所定の基準を下回る場合に、前記第１のスケジューリング手段を前記第１の移動局に関する前記動的スケジューリングのために選択することを含む、請求項３９に記載の方法。
【請求項４１】
前記二者択一的に使用することは、前記無線局の消費電力に基づいて、前記第１及び第２のスケジューリング手段のいずれを使用するかを選択することを含む、請求項３１に記載の方法。
【請求項４２】
前記二者択一的に使用することは、前記第１のパートに対する電力供給状況に基づいて、前記第１及び第２のスケジューリング手段のいずれを使用するかを選択することを含む、請求項３１に記載の方法。
【請求項４３】
前記電力供給状況は、前記第１のパートに電力を供給するバッテリーの充電状況を含む、請求項４２に記載の方法。
【請求項４４】
前記二者択一的に使用することは、前記第２のパートに対する電力供給状況に基づいて、前記第１及び第２のスケジューリング手段のいずれを使用するかを選択することを含む、請求項３１に記載の方法。
【請求項４５】
前記電力供給状況は、前記第２のパートに電力を供給する電力供給手段の自己発電の可否を含む、請求項４４に記載の方法。
【請求項４６】
前記二者択一的に使用することは、前記ユーザーデータのセキィリティレベル又はQoSクラスに基づいて、前記第１及び第２のスケジューリング手段のいずれを使用するかを選択することを含む、請求項３１に記載の方法。
【請求項４７】
前記第１及び第２のスケジューリング手段のいずれを使用するかの選択は、前記ユーザーデータ毎に行われる、請求項３１又は４６に記載の方法。
【請求項４８】
前記第１及び第２のスケジューリング手段のいずれを使用するかの選択は、上位ネットワークと前記無線局の間の暗号化されたベアラ毎に行われる、請求項３１又は４６に記載の方法。
【請求項４９】
前記第１及び第２のパートは共に、上位ネットワークと前記無線局の間の暗号化された複数のベアラを終端するベアラ終端手段をさらに備え、
前記方法は、
前記複数のベアラの終端点を前記第１のパートと前記第２のパートの間で選択することをさらに備える、
請求項３１〜４８のいずれか１項に記載の方法。
【請求項５０】
前記第１及び第２のスケジューリング手段のいずれを使用するかの選択に応じて、前記第１及び第２のパートのうちいずれのベアラ終端手段を使用するかを決定する、請求項４９に記載の方法。
【請求項５１】
前記第１のパートにおいて、上位ネットワークと前記無線局の間の暗号化された複数のベアラを終端すること、
前記第１のパートにおいて、前記複数のベアラを終端することにより得られた前記ダウンリンク・ユーザーデータをバッファリングすること、及び
前記第１の移動局のハンドオーバーに際して、前記バッファリングされた前記第１の移動局に関するダウンリンク・ユーザーデータをハンドオーバー先の基地局に転送すること、
をさらに備える、請求項３１〜４８のいずれか１項に記載の方法。
【請求項５２】
前記第２のパートにおいて、前記ダウンリンク・ユーザーデータを前記エア・インタフェースに送信するため、及び前記エア・インタフェースによる受信信号から前記アップリンク・ユーザーデータを復元するための物理レイヤ信号処理を行うことをさらに備える、請求項３１〜５１のいずれか１項に記載の方法。
【請求項５３】
前記第２のパートにおいて、前記ダウンリンク・ユーザーデータを前記エア・インタフェースに送信するため、及び前記エア・インタフェースによる受信信号から前記アップリンク・ユーザーデータを復元するためのレイヤ２信号処理を行うことをさらに備える、請求項５２に記載の方法。
【請求項５４】
前記第１のパートにおいて、前記ダウンリンク・ユーザーデータを前記エア・インタフェースに送信するため、及び前記エア・インタフェースによる受信信号から前記アップリンク・ユーザーデータを復元するためのレイヤ２信号処理を行うことをさらに備える、請求項５２に記載の方法。
【請求項５５】
前記第１のパートは、前記ダウンリンク・ユーザーデータを前記エア・インタフェースに送信するため、及び前記エア・インタフェースによる受信信号から前記アップリンク・ユーザーデータを復元するためのデジタル信号処理を行うことが可能な第１のデジタル信号処理手段をさらに含み、
前記第２のパートは、前記デジタル信号処理のうち前記第１の移動局に関するデジタル信号処理を、前記第１のデジタル信号処理手段に代わって行うことが可能な第２のデジタル信号処理手段をさらに含み、
前記方法は、前記第１の移動局に関する前記デジタル信号処理のために、前記第１及び第２の信号処理手段のうち一方を二者択一的に使用することをさらに備える、
請求項３１〜５１のいずれか１項に記載の方法。
【請求項５６】
前記第１及び第２のスケジューリング手段のいずれを使用するかの選択に応じて、前記第１及び第２のデジタル信号処理手段うちいずれを使用するかを決定する、請求項５５に記載の方法。
【発明の詳細な説明】
【技術分野】
【０００１】
本発明は、無線通信ネットワークにおいて使用される無線局（e.g. 無線基地局、中継局）の構成に関する。
【背景技術】
【０００２】
分割されたRadio Equipment Controller（REC）及びRadio Equipment（RE）を含む無線基地局の構造が、特許文献１及び非特許文献１に記載されている。REC及びRE は少なくとも機能的に互いに分離されている。REC及びREの間は、無線基地局の内部インタフェース（通信インタフェース）により接続される。REC及びRE は、物理的に離間して配置されてもよい。典型的な配置では、RECは通信事業者の主要なビルディング内に配置され、REはアンテナに近い遠隔拠点に配置される。【０００３】
RECは、上位ネットワーク（e.g. 通信事業者のコアネットワーク）に接続され、無線基地局の全体的な制御・監視とデジタルベースバンド信号処理を担当する。ここで、デジタルベースバンド信号処理は、レイヤ２信号処理とレイヤ１（物理レイヤ）信号処理を含む。レイヤ２信号処理は、(i) データ圧縮／復元、(ii) データ暗号化、(iii) レイヤ２ヘッダの追加／削除、(iv)データのセグメンテーション／コンカテネーション、及び(v) データの多重／分離による転送フォーマットの生成／分解、のうち少なくとも１つを含む。具体例の１つとしてのE-UTRAの場合、レイヤ２信号処理は、Radio Link Control（RLC）及びMedia Access Control（MAC）の処理を含む。物理レイヤ信号処理は、伝送路符号化／復号化（Channel Coding/Decoding）、変調／復調（Modulation/Demodulation）、拡散／逆拡散（Spreading/ De-spreading）、リソースマッピング、及びInverse Fast Fourier Transform（IFFT）によるOFDMシンボルデータ（ベースバンドOFDM信号）の生成などを含む。【０００４】
REは、アナログRadio Frequency（RF）信号処理を担当し、移動局にエア・インタフェースを提供する。アナログRadio Frequency（RF）信号処理は、D/A変換、A/D変換、周波数アップコンバージョン、周波数ダウンコンバージョン、増幅などを含む。REは、Remote Radio Head（RRH）と呼ばれる場合もある。【０００５】
例えば、Universal Mobile Telecommunications System（UMTS）の無線アクセスネットワークの場合、RECは、ユーザーデータ（ユーザープレーン・データ）及び制御データ（制御プレーン・データ）の送受信のためにIubインタフェースを用いたRadio Network Controller（RNC）への接続を提供する。一方、REは、Uuインタフェースと呼ばれるエア・エア・インタフェースを移動局に提供する。【０００６】
また、Evolved Universal Terrestrial Radio Access（E-UTRA）の場合、RECは、ユーザーデータ及び制御データの送受信のためにS1インタフェースを用いたEvolved Packet Core（EPC）への接続を提供する。一方、REはLTE-Uuインタフェースと呼ばれるエア・インタフェースを移動局に提供する。【０００７】
上述したように、特許文献１及び非特許文献１に開示された無線基地局の分割構造は、アナログRF信号処理を行うパートをREとして分離することを特徴としている。この分割構造は、無線基地局に実装される機能の増加及び変化に対する柔軟かつ効率的な対処を可能としている。また、この分割構造は、アナログRF技術とデジタルベースバンド技術の分離によって、これら２つの技術の独立した進化への対処を容易にしている。
【先行技術文献】
【特許文献】
【０００８】
【特許文献１】国際公開第２００４／０９５８６１号
【非特許文献】
【０００９】
【非特許文献１】Common Public Radio Interface (CPRI) Specification V4.2 (2010-09-29)、［online］、2010年9月、Ericsson AB, Huawei Technologies Co. Ltd, NEC Corporation, Alcatel Lucent and Nokia Siemens Networks GmbH & Co. KG、［2011年10月20日検索］、インターネット〈URL：http://www.cpri.info/spec.html〉
【発明の概要】
【発明が解決しようとする課題】
【００１０】
無線基地局が処理すべきトラフィック（ユーザーデータ）が増大につれてRECとREの間のトラフィックも増大することが予想される。また、無線基地局が処理すべきトラフィックの増大は、RECの処理負荷の増大をもたらすと予想される。これらに対処するために、本願の発明者は、RECで行われている動的スケジューリングをREにて行うよう変形することを考察した。動的スケジューリングとは、複数の無線リソースの各々を移動局又はユーザーデータに対して動的に割り当てることを意味する。無線リソースは、時間、周波数、若しくは拡散コード、又はこれらの組み合わせによって区別される。各REが動的スケジューリングを分散して行うことによって、RECの処理負荷の軽減が期待できる。また、ダウンリンク・ユーザーデータのバッファ機能を動的スケジューリング機能とともにREに配置することで、ダウンリンク再送信のためのRECからREへのユーザーデータの転送が不要となるため、REC-RE間のトラフィック削減も期待できる。【００１１】
しかしながら、動的スケジューリングをRECではなくREで行うように変形することは、他の問題を引き起こす。すなわち、動的スケジューリングをREで行う場合、複数のRE間での協調制御を行うことが難しくなる。複数のRE間での協調制御の具体例は、複数のREによる複数のセル（又はセクタ）と１つの移動局との間での協調的な送受信（e.g. Inter-Cell Interference Coordination (ICIC)、Coordinated multipoint transmission/reception（CoMP））である。CoMPは、3rd Generation Partnership Project（3GPP）にて標準化作業中のLTE-Advancedの一技術として採用される予定である。CoMPは、セル端に位置する移動局の通信速度の高速化、及びセルスループットの改善などを目的としている。CoMPでは、複数のセル又はセクタが協調して１つの移動局との間で信号送受信を行う。これにより、Signal to Noise Ratio（SNR）の改善とセル間干渉の抑制を図ることができる。CoMPを行うためには、複数のセル（又はセクタ）に関する無線リソース制御を集中的に行うことが望ましい。この集中的な無線リソース制御は、複数のREに関する動的スケジューリングを１つのRECにおいて集中的に行うことによって比較的容易に達成できる。【００１２】
以上に述べたように、例えば、RECの処理負荷の削減というニーズと、複数のRE間での協調制御の実現というニーズとは、動的スケジューリング機能の配置に関して相反する関係にある。つまり、動的スケジューリングをREC又はREのどちらかで固定的に行うと、これら２つのニーズのいずれか一方を達成できても他方を達成することは難しい。さらに、REC-RE間の回線容量の削減、RECの消費電力の抑制といった他のニーズについても、協調制御の実現との間で同様の相反問題がある。このため、優先的に達成すべきニーズに応じて、動的スケジューリングをRECが行うか又はREが行うかを適宜選択できることが望ましい。【００１３】
本発明は、発明者による上述した考察に基づいてなされたものである。したがって、本発明は、無線リソースの動的スケジューリングをRECが行うか又はREが行うかを適宜選択することが可能な分割構造を持つ無線局、及びユーザーデータの処理方法の提供を目的とする。
【課題を解決するための手段】
【００１４】
本発明の第１の態様は、無線通信ネットワークにおいて使用され、複数の移動局との間でエア・インタフェースを介してダウンリンク・ユーザーデータ及びアップリンク・ユーザーデータを含むユーザーデータの送受信を行うことが可能な無線局を含む。当該無線局は、第１のパートと、前記第１のパートから物理的に分離して配置可能であり、前記第１のパートと伝送路を介して通信可能に接続される少なくとも１つの第２のパートを有する。【００１５】
前記第１のパートは、複数の無線リソースの各々を前記複数の移動局又は前記ユーザーデータに対して割り当てる動的スケジューリングを行うことが可能な第１のスケジューリングユニットを有する。【００１６】
前記第２のパートは、アナログ信号処理ユニット及び第２のスケジューリングユニットを有する。前記アナログ信号処理ユニットは、前記複数の移動局のうち当該第２のパートに接続する第１の移動局に対してエア・インタフェースを提供するための周波数変換及び電力増幅の少なくとも一方を含むアナログ信号処理を行う。前記第２のスケジューリングユニットは、前記動的スケジューリングのうち前記第１の移動局に関する動的スケジューリングの少なくとも一部を前記第１のスケジューリングユニットに代わって行うことができるよう構成されている。【００１７】
本発明の第２の態様は、無線基地局によるユーザーデータの処理方法を含む。前記無線局は、無線通信ネットワークにおいて使用され、複数の移動局との間でエア・インタフェースを介してダウンリンク・ユーザーデータ及びアップリンク・ユーザーデータを含むユーザーデータの送受信を行うことが可能に構成されている。また、前記無線局は、第１のパートと、前記第１のパートから物理的に分離して配置可能であり、前記第１のパートと伝送路を介して通信可能に接続される少なくとも１つの第２のパートとを含む。【００１８】
さらに、前記第１のパートは、複数の無線リソースの各々を前記複数の移動局又は前記ユーザーデータに対して割り当てる動的スケジューリングを行うことが可能な第１のスケジューリングユニットを含む。また、前記第２のパートは、記動的スケジューリングのうち当該第２のパートに接続する第１の移動局に関する動的スケジューリングの少なくとも一部を前記第１のスケジューリングユニットに代わって行うことが可能な第２のスケジューリングユニットを含む。【００１９】
当該第２の態様に係る処理方法は、前記第１の移動局に関する前記動的スケジューリングの少なくとも一部のために、前記第１及び第２のスケジューリングユニットのうち一方を二者択一的に使用することを含む。
【発明の効果】
【００２０】
上述した本発明の各態様によれば、無線リソースの動的スケジューリングをRECが行うか又はREが行うかを適宜選択することが可能な分割構造を持つ無線局、及びユーザーデータの処理方法を提供できる。
【図面の簡単な説明】
【００２１】
【図１】発明の実施の形態１に係る無線基地局の構成例を示すブロック図である。
【図２】発明の実施の形態２に係る無線基地局の構成例を示すブロック図である。
【図３Ａ】発明の実施の形態２に係る無線基地局のプロトコル構造及び機能配置を示す図である。
【図３Ｂ】発明の実施の形態２に係る無線基地局のプロトコル構造及び機能配置を示す図である。
【図４】発明の実施の形態３に係る無線基地局の構成例を示すブロック図である。
【図５Ａ】発明の実施の形態３に係る無線基地局のプロトコル構造及び機能配置を示す図である。
【図５Ｂ】発明の実施の形態３に係る無線基地局のプロトコル構造及び機能配置を示す図である。
【図６】発明の実施の形態４に係る無線基地局の構成例を示すブロック図である。
【図７】発明の実施の形態５に係る無線基地局の構成例を示すブロック図である。
【図８Ａ】発明の実施の形態５に係る無線基地局のプロトコル構造及び機能配置を示す図である。
【図８Ｂ】発明の実施の形態５に係る無線基地局のプロトコル構造及び機能配置を示す図である。
【図９】発明の実施の形態６に係る無線基地局の構成例を示すブロック図である。
【図１０Ａ】発明の実施の形態６に係る無線基地局のプロトコル構造及び機能配置を示す図である。
【図１０Ｂ】発明の実施の形態６に係る無線基地局のプロトコル構造及び機能配置を示す図である。
【図１１】発明の実施の形態７に係る無線基地局の構成例を示すブロック図である。
【図１２Ａ】発明の実施の形態７に係る無線基地局のプロトコル構造及び機能配置を示す図である。
【図１２Ｂ】発明の実施の形態７に係る無線基地局のプロトコル構造及び機能配置を示す図である。
【図１３】発明の実施の形態８におけるスケジューラの動作例を示すシーケンス図である。
【図１４】発明の実施の形態８におけるスケジューラの動作例を示すシーケンス図である。
【発明を実施するための形態】
【００２２】
以下では、本発明を適用した具体的な実施の形態について、図面を参照しながら詳細に説明する。各図面において、同一又は対応する要素には同一の符号が付されており、説明の明確化のため、必要に応じて重複説明は省略される。なお、以下の説明では、主にE-UTRA/LTE（Long Term Evolution）の無線基地局に関して説明する。しかしながら、このような特定の無線通信システムに関する説明は、本発明の範囲を限定する目的ではなく、本発明に関する理解を容易にする目的で行われるものである。つまり、当業者は、以下に具体的に説明される実施の形態から把握される原理及び思想を、様々な方式の無線通信システムに適用できる。
【００２３】
＜発明の実施の形態１＞
図１は、本実施の形態に係る無線基地局１の構成を示すブロック図である。無線基地局１は、無線通信ネットワークにおいて使用され、複数の移動局との間でエア・インタフェースを介してダウンリンク・ユーザーデータ及びアップリンク・ユーザーデータを含むユーザーデータの送受信を行うことがきる。無線基地局１は、第１のパートすなわちRadio Equipment Controller（REC）１Ａと、少なくとも１つの第２のパートすなわちRadio Equipment（RE）１Ｂを有する。RE１Ｂは、伝送路４０を介して物理的に分離して配置可能であり、REC１Ａと伝送路４０を介して通信可能に接続される。伝送路４０は、電気伝送路でもよいし、光伝送路でもよい。また、伝送路４０は、point-to-point型の無線伝送路（e.g. マイクロ波無線伝送路）であってもよい。伝送路４０は、双方向伝送のために、複数の物理的な伝送路を含んでもよい。なお、図１に示されているように、REC１Ａには複数のRE１Ｂが接続されてもよい。
【００２４】
REC１Ａ及びRE１Ｂに配置された内部インタフェース３０及び３１は、伝送路４０を介して双方向通信を行うためのレイヤ２及びレイヤ１機能を持つ。内部インタフェース３０及び３１は、電気インタフェース、光インタフェース、無線インタフェースのいずれであってもよい。例えば、1000BASE-CX、1000BASE-SX、1000BASE-LX、10GBASE-LX4、又はFibre channelなどの既存のトランシーバを内部インタフェース３０及び３１として使用してもよい。
【００２５】
REC１Ａは、スケジューラ２０Ａを有する。スケジューラ２０Ａは、REC１Ａに接続される複数のRE１Ｂにエア・インタフェースを接続する複数の移動局に関して、ダウンリンク及びアップリンクに関する動的スケジューリングを行うことができるよう構成されている。言い換えると、スケジューラ２０Ａは、ダウンリンク及びアップリンクの複数の無線リソースの各々を複数の移動局又はユーザーデータに対して動的に割り当てる。無線リソースは、時間、周波数、若しくは拡散コード、又はこれらの組み合わせによって区別される。例えばE-UTRAの場合、無線リソースはリソースブロックであり、１サブフレーム（1msec）内の２リソースブロックを最小単位として動的スケジューリングが行われる。１つのリソースブロックは、周波数ドメインに１２サブキャリアを有し、時間ドメインに７OFDMシンボルを有する。
【００２６】
ダウンリンクの動的スケジューリングは、Proportional Fairness（PF）、max-C/I（carrier/interference）、又はラウンドロビン等のスケジューリング手法を用いて、各無線リソースに割り当てるデータをバッファ（不図示）の中から選択することによって達成される。当該バッファは、上位ネットワークから到着したダウンリンク・ユーザーデータを一時的に保持する。なお、当該バッファは、上位ネットワークと基地局1の間で転送される暗号化されたベアラ・データ（e.g. S1ベアラ・データ）を保持してもよい。また、当該バッファは、データ圧縮（e.g. IPヘッダ圧縮）及びセグメンテーション／コンカテネーション等のレイヤ２処理をダウンリンク・ユーザーデータに行って得られるデータ（e.g. PDCP Protocol Data Unit（PDU）、RLC PDU）を保持してもよい。当該バッファは、例えば、移動局毎、ベアラ毎、QoSクラス毎、又は移動局毎かつQoSクラス毎に用意される。どの単位でバッファを用意するかは、バッファの配置、スケジューリングの要件（e.g. QoSクラスの有無、転送レート保証の要否）等によって適宜決定される。
【００２７】
アップリンクの動的スケジューリングは、例えば、移動局からのリソース割り当て要求の受信、又は移動局が有するデータバッファの監視結果に基づいて行われる。アップリンクの動的スケジューリングは、PF、max-C/I、又はラウンドロビン等のスケジューリング手法を用いて、各無線リソースに割り当てる移動局を決定することによって達成される。
【００２８】
さらに、具体例の１つとしてのE-UTRAの場合、スケジューラ２０Ａによる動的スケジューリングは、Radio Link Control（RLC）サブレイヤにおけるペイロード選択、MACサブレイヤにおける再送信の制御、並びに物理レイヤにおけるコーディングレートの指定、変調スキームの指定、及び無線リソースの指定を含む。これらの制御情報は、図１に破線で示したシグナリングによって、BBユニット１１に伝達される。
【００２９】
次に、RE１Ｂについて説明する。図１に示されたRE１Ｂは、BBユニット１１、RF-PHYユニット１３、及びスケジューラ２０Ｂを有する。このうち、BBユニット１１又はBBユニット１１が行うデジタルベースバンド信号処理の一部は、REC１Ａに配置されてもよい。
【００３０】
BBユニット１１は、デジタルベースバンド信号処理を行う。言い換えると、BBユニット１１は、ダウンリンク・ユーザーデータをエア・インタフェースに送信するため、及びエア・インタフェースによる受信信号からアップリンク・ユーザーデータを復元するためのデジタルベースバンド信号処理を行う。BBユニット１１によるデジタルベースバンド信号処理は、例えば、レイヤ２信号処理及びレイヤ１（物理レイヤ）信号処理を含む。ここで、レイヤ２信号処理は、(i) データ圧縮／復元、(ii) データ暗号化、(iii) レイヤ２ヘッダの追加／削除、(iv)データのセグメンテーション／コンカテネーション、及び(v) データの多重／分離による転送フォーマットの生成／分解、のうち少なくとも１つを含む。また、物理レイヤ信号処理は、伝送路符号化／復号化（Channel Coding/Decoding）、変調／復調（Modulation/Demodulation）を含む。
【００３１】
具体例の１つとしてのE-UTRAの場合、レイヤ２信号処理は、RLCサブレイヤ及びMACサブレイヤの処理を含む。RLCサブレイヤは、ベアラ終端ユニット１０を上位プロトコル・レイヤとする。MACサブレイヤは、RLCサブレイヤを上位プロトコル・レイヤとし、物理レイヤのベースバンド信号処理（BB-PHY）を下位プロトコル・レイヤとする。なお、E-UTRAは、RLCサブレイヤの上位サブレイヤとしてPDCPサブレイヤをさらに含む。しかしながら、PDCPサブレイヤにおける処理（e.g. IPヘッダ圧縮、暗号化）は、必須ではなく省略されてもよい。
【００３２】
E-UTRAの場合、PDCPサブレイヤは、エア・インタフェースでの送受信に適するように、送信データ量を削減する処理を担う。具体的には、PDCPサブレイヤは、ダウンリンク・ユーザーデータに対するIPヘッダ圧縮、アップリンク・ユーザーデータに対するIPヘッダの復元を行う。さらに、PDCPサブレイヤは、ユーザーデータの暗号化と、ハンドオーバー遅延削減のためのユーザーデータの複製と転送を行う。
【００３３】
E-UTRAのRLCサブレイヤは、PDCPサブレイヤから供給される無線ベアラ・データ（PDCP Protocol Data Unit（PDU））に対するセグメンテーション及びコンカテネーション、並びに再送制御を行う。RLCサブレイヤは、PDCPサブレイヤに無線ベアラによるデータ転送サービスを提供する。また、RLCサブレイヤは、論理チャネル（RLC PDU）によってMACサブレイヤに接続される。
【００３４】
E-UTRAのMACサブレイヤは、論理チャネル（RLC PDU）の多重化、及びhybrid- ARQ（automatic repeat request）再送信を行う。MACサブレイヤは、論理チャネル（RLC PDU）の多重化によってトランスポートチャネルを生成する。トランスポートチャネルの伝送フォーマット（データブロック・サイズ）は、瞬間的なデータレートに依存する。MACサブレイヤは、トランスポートチャネル（MAC PDU）によって物理レイヤに接続される。
【００３５】
E-UTRAの場合、物理レイヤ信号処理は、伝送路符号化／復号化および変調／復調に加えて、リソースマッピング及びInverse Fast Fourier Transform（IFFT）によるOFDMシンボルデータ（ベースバンドOFDM信号）の生成などを含む。
【００３６】
RF-PHYユニット１３は、アンテナ１４に接続され、RE１Ｂに接続する移動局に対してエア・インタフェースを提供するための物理レイヤに関するアナログRF信号処理を行う。RF-PHYユニット１３が行うアナログRF信号処理は、D/A変換、A/D変換、周波数アップコンバージョン、周波数ダウンコンバージョン、及び増幅のうち少なくとも１つを含む。RF-PHYユニット１３は、上述したBBユニット１１に結合される。すなわち、RF-PHYユニット１３は、変調シンボルデータ（又はOFDMシンボルデータ）をBBユニット１１から受信し、ダウンリンクRF信号を生成し、アンテナ１４を介して送信する。また、RF-PHYユニット１３は、アンテナ１４からアップリンクRF信号を受信し、ベースバンド受信信号列を生成し、これをBBユニット１１に供給する。
【００３７】
スケジューラ２０Ｂは、当該RE１Ｂに接続する移動局に関する動的スケジューリングをスケジューラ２０Ａに代わって行うことができるよう構成されている。言い換えると、スケジューラ２０Ｂは、当該RE１Ｂに接続する移動局に関する動的スケジューリングをスケジューラ２０Ａと二者択一的に行うことができる。つまり、スケジューラ２０Ｂは、スケジューラ２０Ａと同様に、当該RE１Ｂに接続する移動局に関する動的スケジューリングを行うことができる。
【００３８】
無線基地局1は、当該RE１Ｂに接続する移動局に関する動的スケジューリングを行うために、スケジューラ２０Ａ及び２０Ｂのうち一方を二者択一的に使用する。スケジューラ２０Ａ及び２０Ｂのいずれを使用するかの選択は、無線基地局１に接続される全ての移動局に関する全てのユーザーデータを単位として一括して行われてもよい。また、この選択は、移動局毎、ユーザーデータ毎、又は上位ネットワークと無線基地局１の間の暗号化されたベアラ（e.g. S1ベアラ）毎に行われてもよい。複数のRE１Ｂが基地局１に接続される場合、スケジューラ２０Ａ及び２０Ｂのいずれを使用するかの選択は、RE１Ｂ毎に行われてもよい。
【００３９】
スケジューラ２０Ａ及び２０Ｂのいずれを使用するかの選択は、オペレータによる無線基地局１の手動設定により行われてもよい。また、この選択は、REC１Ａ又はRE１１Ｂに配置されたコントローラ（不図示）が選択条件の成立を判定することによって自立的に行なってもよい。また、この選択は、無線基地局１の外部に配置されたリソース制御装置又はOAM（Operation Administration and Maintenance）システム等の外部装置からの指示に基づいて行われてもよい。
【００４０】
続いて、スケジューラ２０Ａ及び２０Ｂの選択条件について説明する。スケジューラ２０Ａ及び２０Ｂのいずれを使用するかの選択は、様々な選択条件に基づいて行うことができる。いかなる選択条件を用いるかは、優先的に達成すべきニーズ、例えば、複数のRE間での協調制御の実現、RECの処理負荷の削減、又はREC-RE間トラフィックの削減など、に応じて適宜決定すればよい。以下に、スケジューラ２０Ａ及び２０Ｂの選択条件の具体例を示す。
【００４１】
（具体例１）
スケジューラ２０Ａ及び２０Ｂのいずれを使用するかの選択は、無線基地局１の全体、REC１Ａ、又はRE１Ｂが処理すべきトラフィック量に基づいて行われる。例えば、RE１Ｂが処理すべきトラフィック量が所定の基準を超える場合に、REC１Ａのスケジューラ２０Ａを選択するとよい。REC１Ａのスケジューラ２０Ａを優先的に使用することで、複数のRE１Ｂによる複数のセル（又はセクタ）と１つの移動局との間での協調的な送受信（e.g. CoMP）を比較的容易に行うことができ、セルスループットを増大できる。一方、RE１Ｂが処理すべきトラフィック量が所定の基準を下回る場合に、RE１Ｂのスケジューラ２０Ｂを選択するとよい。これにより、REC-RE間のトラフィック量を削減できる。また、REC１Ａの消費電力の低減も期待できる。
【００４２】
（具体例２）
スケジューラ２０Ａ及び２０Ｂのいずれを使用するかの選択は、REC１Ａに接続される複数のRE１Ｂの間での協調制御の要否に基づいて行われる。例えば、複数のRE１Ｂの間での協調制御を優先的に行う必要がある場合に、REC１Ａのスケジューラ２０Ａを選択するとよい。これにより、協調的な送受信（e.g. CoMP）を比較的容易に行うことができる。一方、複数のRE１Ｂの間での協調制御が不要である場合、又は他の条件（e.g. REC１Aの消費電力低減、REC-RE間トラフィックの削減）が優先される場合に、RE１Ｂのスケジューラ２０Ｂを選択するとよい。これにより、協調的な送受信が必要でない場合には、REC１Aの消費電力低減等の他のニーズを達成できる。
【００４３】
（具体例３）
スケジューラ２０Ａ及び２０Ｂのいずれを使用するかの選択は、エア・インタフェースにおける再送信の発生状況に基づいて行われる。例えば、RE１Ｂに接続する移動局毎、又はREC１Ｂ毎のautomatic repeat request（ARQ）再送信（E-UTRAではH-ARQ再送信）の発生回数又は発生率が所定の基準を超える場合に、RE１Ｂのスケジューラ２０Ｂを選択するとよい。これにより、再送信のためのユーザーデータのREC１ＡからRE１Ｂへの転送が不要になるため、REC-RE間のトラフィック量を削減できる。
【００４４】
（具体例４）
スケジューラ２０Ａ及び２０Ｂのいずれを使用するかの選択は、無線基地局１の全体、REC１Ａ、又はRE１Ｂの消費電力に基づいて行われる。例えば、REC１Ａの消費電力が所定の基準を超える場合に、RE１Ｂのスケジューラ２０Ｂを選択するとよい。これにより、REC１Ａの消費電力を低減できる。また、例えば、RE１Ｂの消費電力が所定の基準を超える場合に、REC１Ａのスケジューラ２０Ａを選択するとよい。これにより、RE１Ｂの消費電力を低減できる。
【００４５】
（具体例５）
スケジューラ２０Ａ及び２０Ｂのいずれを使用するかの選択は、REC１Ａ又はRE１Ｂの負荷状況に基づいて行われる。例えば、REC１Ａの負荷が所定の基準を超える場合に、RE１Ｂのスケジューラ２０Ｂを選択するとよい。これにより、REC１ＡとRE１Ｂの間の負荷分散が達成でき、REC１Ａの負荷増大を抑制できる。また、例えば、RE１Ｂの負荷が所定の基準を超える場合に、REC１Ａのスケジューラ２０Ａを選択するとよい。これにより、RE１Ｂの負荷増大を抑制できる。より具体的に述べると、一定周期で各RE１Ｂ（各セル）のリソース使用率を測定し、リソース使用率が所定の基準を超える場合に、REC１Ａのスケジューラ２０Ａを選択するとよい。また、新たなベアラが新規に設定されるときに、RE１Ｂのリソース使用率を判定し、リソース使用率が所定の基準を超える場合に、REC１Ａのスケジューラ２０Ａを選択してもよい。
【００４６】
（具体例６）
スケジューラ２０Ａ及び２０Ｂのいずれを使用するかの選択は、REC１Ａ又はRE１Ｂの処理能力に基づいて行われる。例えば、RE１Ｂの処理能力が所定の基準を下回る場合に、REC１Ａのスケジューラ２０Ａを選択するとよい。この選択条件は、スケジューラ２０Ｂの処理能力がスケジューラ２０Ａに比べて小さい場合に有効である。RE１Ｂの設置場所によってRE１Ｂが処理すべきトラフィック量は異なるため、RE１Ｂに期待される処理能力も異なる。したがって、高トラフィックの地点にRE１Ｂが配置され、スケジューラ２０Ｂの処理能力では十分でない場合に、REC１Ａのスケジューラ２０Ａを選択すればよい。
【００４７】
（具体例７）
スケジューラ２０Ａ及び２０Ｂのいずれを使用するかの選択は、REC１Ａに対する電力供給状況に基づいて行われる。例えば、REC１Ａに電力を供給するバッテリーの充電状況、つまり充電量または蓄電量力に対する充電比率、が所定の基準を超える場合に、REC１Ａのスケジューラ２０Ａを選択するとよい。一方、REC１Ａに電力を供給するバッテリーの充電状況が所定の基準を下回る場合に、RE１Ｂのスケジューラ２０Ｂを選択するとよい。
【００４８】
（具体例８）
スケジューラ２０Ａ及び２０Ｂのいずれを使用するかの選択は、RE１Ｂに対する電力供給状況に基づいて行われる。例えば、太陽光発電または風量発電などの自己発電可能な発電装置からRE１Ｂが電力供給を受けられる場合に、RE１Ｂのスケジューラ２０Ｂを選択するとよい。
【００４９】
（具体例９）
スケジューラ２０Ａ及び２０Ｂのいずれを使用するかの選択は、ユーザーデータのセキィリティレベル又はQoSクラスに基づいて行われる。具体的には、高いセキュリティレベルが要求されるベアラ、及び高いQoSクラスが設定されたベアラに対してはRE１Ｂのスケジューラ２０Ｂを選択し、それ以外のベアラに対してはREC１Ａのスケジューラ２０Ａを選択するとよい。この場合、上位ネットワークと無線基地局１の間の暗号化されたベアラ（e.g. S1ベアラ）の終端点も、REC１ＡとRE１Ｂとの間で選択できるようにするとよい。
【００５０】
以上に述べた選択条件の具体例１〜９は一例に過ぎず、これら以外の選択条件を利用してもよいことはもちろんである。また、以上に述べた選択条件の具体例１〜９、並びに他の任意の選択条件は、適宜組み合わせて用いることもできる。
【００５１】
なお、スケジューラ２０Ｂは、当該RE１Ｂに接続する移動局に関する動的スケジューリングの全てではなくその一部のみをスケジューラ２０Ａに代わって行うことができるよう構成されてもよい。例えば、スケジューラ２０Ａは、RE１Ｂに接続する移動局に対して割り当て可能な無線リソース範囲を決定してもよい。この場合、スケジューラ２０Ｂは、スケジューラ２０Ａにより決定された無線リソース範囲からリソースを移動局に動的に割り当てる処理を実行すればよい。また、例えば、スケジューラ２０Ａは、H-ARQ再送信を除く動的スケジューリングを行い、スケジューラ２０ＢはH-ARQ再送信のためのスケジューリングを行なってもよい。さらにまた、スケジューラ２０Ｂは、動的スケジューリングに使用されるパラメータをエア・インタフェースの無線通信品質に基づいて計算し、スケジューラ２０Ａに送信してもよい。この場合、スケジューラ２０Ａは、スケジューラ２０Ｂによって計算されたパラメータを用いて動的スケジューリングを行えばよい。
【００５２】
上述したように、本実施の形態に係る無線基地局１は、スケジューラ２０Ａ及び２０Ｂを有し、RE１Ｂに接続する移動局に関する動的スケジューリングの少なくとも一部を行うためにスケジューラ２０Ａ及び２０Ｂのいずれを使用するかを選択できるよう構成されている。したがって、無線基地局１は、例えば、REC１Ａの処理負荷の削減というニーズ、及び複数のRE１Ｂ間での協調制御の実現というニーズ等の複数のニーズのうち、優先的に達成すべきニーズに応じて、無線リソースの動的スケジューリングの少なくとも一部をREC１Ａが行うか又はRE１Ｂが行うかを適宜選択することができる。
【００５３】
なお、既に述べた通り、図１におけるBBユニット１１の配置は一例に過ぎない。BBユニット１１によって行われるデジタルベースバンド信号処理の少なくとも一部（e.g. レイヤ２信号処理、PDCPサブレイヤ処理）は、REC１Ａに配置されてもよい。また、図１には明示されていないが、上位ネットワークとの間のベアラ終端機能の配置も様々に変形可能である。さらに、ダウンリンクの動的スケジューリングのためにスケジューラ２０によって参照されるバッファの配置も様々に変形可能である。言い換えると、ベアラ終端機能およびバッファは、REC１ＡとRE１Ｂとの間で適宜振り分けることができる。しかしながら、これらの機能ユニットの配置を調整することで、様々な追加的な効果を得ることができる。これらの機能ユニットの配置に関する複数の態様は、以下に述べる発明の実施の形態２〜８において説明される。
【００５４】
＜発明の実施の形態２＞
図２は、本実施の形態に係る無線基地局２の構成例を示すブロック図である。無線基地局２は、第１のパートすなわちRadio Equipment Controller（REC）２Ａと、少なくとも１つの第２のパートすなわちRadio Equipment（RE）２Ｂを有する。REC２Ａは、ベアラ終端ユニット１０Ａ及びバッファ２１Ａを有する。RE２Ｂは、ベアラ終端ユニット１０Ｂ及びバッファ２１Ｂを有する。無線基地局２は、スケジューラ２０Ａ及び２０Ｂの間での選択に応じて、上位ネットワークとの間のベアラの終端点をRECとREの間で切り替える。
【００５５】
ベアラ終端ユニット１０Ａ及び１０Ｂは、ユーザーデータの転送のために上位ネットワーク（e.g. UMTSのRNC、E-UTRAのEPC）と基地局２の間に設定されたベアラを終端することができる。一般的に、ユーザーデータを転送するためのベアラ（e.g. E-UTRAのS1ベアラ）は、トンネリングプロトコル（e.g. IPsec）を用いて暗号化される。また、ベアラは、移動局と外部ネットワークとの間のデータフロー（e.g. E-UTRAのPacket Data Network（PDN）コネクション）毎に設定される。したがって、ベアラ終端ユニット１０Ａ及び１０Ｂは、上位ネットワークと基地局２との間の暗号化された複数のベアラを終端し、複数の移動局に関するダウンリンク・ユーザーデータを上位ネットワークから受信し、複数の移動局に関するアップリンク・ユーザーデータを上位ネットワークに送信することができる。
【００５６】
バッファ２１Ａ及び２１Ｂは、上位ネットワークから到着したダウンリンク・ユーザーデータを一時的に保持することができる。バッファ２１Ａは、動的スケジューリングのためにスケジューラ２０Ａによって参照される。また、バッファ２１Ｂは、動的スケジューリングのためにスケジューラ２０Ｂによって参照される。
【００５７】
無線基地局２は、スケジューラ２０Ａ及び２０Ｂの間での選択に応じて、ベアラ終端ユニット１０Ａ及び１０Ｂの間での選択と、バッファ２１Ａ及び２１Ｂの間での選択を行う。つまり、無線基地局２は、RE２Ｂに接続する移動局に関する動的スケジューリングのためにREC２Ａのスケジューラ２０Ａを使用する場合に、ベアラ終端ユニット１０Ａ及びバッファ２１Ａを併せて選択する。一方、無線基地局２は、RE２Ｂのスケジューラ２０Ｂを使用する場合に、ベアラ終端ユニット１０Ｂ及びバッファ２１Ｂを併せて選択する。
【００５８】
RE２Ｂにおいてベアラが終端される場合、無線基地局２は、伝送路４０を介して暗号化されたベアラ・データ（e.g. S1ベアラ・データ）をREC２ＡからRE２Ｂに転送する。これにより、無線基地局２は、REC２ＡとRE２Ｂの間のセキュリティを強固にすることができる。上述したように、RE２Ｂは、第三者がアクセスしやすい遠隔拠点に配置されることが想定される。ユーザーデータではなく暗号化されたベアラ・データとして送信することで、ユーザーデータを不正アクセスから保護することができる。
【００５９】
ベアラ終端ユニット１０Ａ及び１０Ｂの間での選択、つまりベアラ終端点の選択は、例えば、上述した選択条件の"具体例９"に従って行うことができる。この場合、ベアラ単位で終端点を選択するとよい。具体的には、高いセキュリティレベルが要求されるベアラ、及び高いQoSクラスが設定されたベアラは、RE２Ｂで終端されるようにすればよい。それ以外のベアラは、REC２Ａで終端されるようにすればよい。また、ベアラ終端ユニット１０Ａ及び１０Ｂの間での選択は、スケジューラ２０Ａ及び２０Ｂの間での選択とともに、他の具体例１〜８のうち少なくとも１つに基づいて行われてもよい。
【００６０】
また、例えば、REC２ＡとRE２Ｂの間の伝送路４０のセキュリティレベルに基づいて、ベアラ終端点を選択してもよい。具体的に述べると、伝送路４０のセキュリティレベルが相対的に高い場合にREC２Ａにてベアラを終端し、伝送路４０のセキュリティレベルが相対的に低い場合にRE２Ｂにてベアラを終端するとよい。伝送路４０のセキュリティレベルが相対的に高い場合とは、例えば、伝送路４０が通信事業者の専用線である場合、又は伝送路４０が通信事業者の管理された敷地内に敷設されている場合である。伝送路４０のセキュリティレベルが相対的に低い場合とは、例えば、伝送路４０が一般的な公衆回線である場合、又は伝送路４０が十分に管理されていない場所に敷設されている場合である。
【００６１】
ベアラ終端点の選択は、無線基地局２のセットアップ時に行われてもよい。また、ベアラ終端点の選択は、伝送路４０の切り替えに応じて、例えばメイン伝送路とバックアップ伝送路の間の切り替えに応じて行われてもよい。具体的には、無線基地局２に配置されたコントローラ５０は、メイン伝送路とバックアップ伝送路のセキュリティレベルが異なる場合に、各々のセキュリティレベルに応じて終端点を切り替えるとよい。なお、ベアラ終端点の切り替えは、コントローラ５０ではなく、外部装置（e.g. リソース制御装置、又はOAMシステム）からの指示に応じて行われてもよい。
【００６２】
一方、REC２Ａに配置されたバッファ２１Ａをスケジューラ２０Ａと共に使用することにより、複数のRE２Ｂの間での協調的な動的スケジューリングを容易に行うことができる。なぜなら、ダウンリンクの動的スケジューリングの際に、スケジューラ２０Ａは、バッファ２１Ａの蓄積状況を容易に把握でき、ダウンリンク・ユーザーデータを各RE２Ｂに容易に転送できるためである。また、バッファ２１Ａを使用することによって、内部インタフェース３０及び３１の間で転送するべき制御データを削減できる。REC２Ａ（内部インタフェース３０）は、バッファ２１Ａに保持されたダウンリンク・ユーザーデータ又はダウンリンク・ユーザーデータを含むデータ列のうち、スケジューラ２０Ａによって選択されたデータを選択的に送信すればよい。
【００６３】
無線基地局２は、スケジューラ２０Ａ及び２０Ｂのいずれを使用するかを選択できるように構成されている。したがって、無線基地局２は、無線基地局１と同様に、複数のニーズのうち優先的に達成すべきニーズに応じて、動的スケジューリングをREC２Ａが行うか又はRE２Ｂが行うかを適宜選択することができる。
【００６４】
さらに、本実施の形態では、スケジューラ２０Ｂが使用される場合に、ベアラ終端もRE２Ｂで行われる。したがって、無線基地局２は、ベアラ終端ユニット１０Ｂ、スケジューラ２０Ｂ、及びバッファ２１Ｂを使用することで、伝送路４０のセキュティ向上を図ることができる。一方、伝送路４０のセキュリティ向上よりも、REC-RE間のトラフィック量削減、又は複数RE２Ｂ間での協調制御の実施を優先すべき場合には、無線基地局２は、ベアラ終端ユニット１０Ａ、スケジューラ２０Ａ、及びバッファ２１Ａを使用することで、このニーズに応えることができる。
【００６５】
図３Ａ及び図３Ｂは、無線基地局２おける機能配置を、E-UTRAでのユーザーデータのダウンリンク送信に関して詳細に示している。図３Ａに示された機能配置は、図２の構成例においてREC２Ａのベアラ終端ユニット１０Ａ、スケジューラ２０Ａ、及びバッファ２１Ａが使用される場合に対応している。一方、図３Ｂに示された機能配置は、RE２Ｂのベアラ終端ユニット１０Ｂ、スケジューラ２０Ｂ、及びバッファ２１Ｂが使用される場合に対応している。図３Ａ及び図３Ｂにおいて、BBユニット１１は、レイヤ２処理に関する３つのサブユニット、すなわちPDCPユニット１１０、RLCユニット１１１、及びMACユニット１１２を含む。PDCPユニット１１０は、PDCPサブレイヤの処理を行う。RLCユニット１１１は、RLCサブレイヤの処理を行う。MACユニット１１２は、MACサブレイヤの処理を行う。さらに、BBユニット１１は、ベースイバンド物理レイヤ（BB-PHY）処理に関する４つのサブユニット、すなわち符号化ユニット１２０、変調ユニット１２１、リソースマッピング・ユニット１２２、及びIFFTユニット１２３を含む。RF-PHYユニット１３は、アップコンバータ１３０及び増幅器１３１を含む。図３Ａの例では、ユーザーデータがREC２ＡからRE２Ｂに転送される。図３Ｂの例では、S1ベアラ・データがREC２ＡからRE２Ｂに転送される。
【００６６】
＜発明の実施の形態３＞
図４は、本実施の形態に係る無線基地局３の構成例を示すブロック図である。無線基地局３は、第１のパートすなわちRadio Equipment Controller（REC）３Ａと、少なくとも１つの第２のパートすなわちRadio Equipment（RE）３Ｂを有する。無線基地局３と上述した無線基地局２との相違点は、REC３Ａのみにベアラ終端ユニット１０が配置されている点である。ベアラ終端ユニット１０は、ユーザーデータの転送のために上位ネットワーク（e.g. UMTSのRNC、E-UTRAのEPC）と基地局３の間に設定されたベアラを終端する。バッファ２１Ａ及び２１Ｂの配置は、図２に示した無線基地局２の構成例と同様である。
【００６７】
図４において、REC３Ａは、ベアラ終端ユニット１０においてPDCPサブレイヤの処理（e.g. IPヘッダ圧縮、暗号化）を行うよう構成されてもよい。この場合、BBユニット１１は、PDCPサブレイヤを除く他のベースバンド信号処理（i.e. RLC及びMAC及びサブレイヤの処理、並びにBB-PHY処理）を行えばよい。また、この場合、バッファ２１Ａ及び２１Ｂは、PDCP PDUを移動局毎、ベアラ毎、QoSクラス毎、又は移動局毎かつQoSクラス毎に格納すればよい。
【００６８】
無線基地局３は、スケジューラ２０Ａ及び２０Ｂのいずれを使用するかを選択できるように構成されている。したがって、無線基地局３は、無線基地局１と同様に、複数のニーズのうち優先的に達成すべきニーズに応じて、動的スケジューリングをREC３Ａが行うか又はRE３Ｂが行うかを適宜選択することができる。
【００６９】
さらに、本実施の形態では、上述した実施の形態２とは対照的に、RE３Ｂのスケジューラ２０Ｂが使用される場合にもREC３Ａがベアラを終端する。したがって、暗号化されたベアラ・データ（e.g. S1ベアラ・データ）に付加されているヘッダを削減できる。このため、ベアラ・データをRE３Ｂに送信する場合に比べて、REC３ＡとRE３Ｂの間の転送データ量を削減できる。
【００７０】
図５Ａ及び図５Ｂは、無線基地局３おける機能配置を、E-UTRAでのユーザーデータのダウンリンク送信に関して詳細に示している。図５Ａに示された機能配置は、図４の構成例においてREC３Ａのスケジューラ２０Ａが使用される場合に対応している。一方、図５Ｂに示された機能配置は、RE３Ｂのスケジューラ２０Ｂが使用される場合に対応している。図５Ａ及び５Ｂ例では共に、ユーザーデータがREC３ＡからRE３Ｂに転送される。
【００７１】
＜発明の実施の形態４＞
図６は、本実施の形態に係る無線基地局４の構成例を示すブロック図である。図６に示された構成例は、図４に示した無線基地局３の変形である。無線基地局４は、第１のパートすなわちRadio Equipment Controller（REC）４Ａと、少なくとも１つの第２のパートすなわちRadio Equipment（RE）４Ｂを有する。無線基地局４と図４に示された無線基地局３との相違点は、REC５Ａがハンドオーバー（ＨＯ）制御ユニット５１を有する点である。RE４Ｂの構成及び機能配置は、図４、５Ａ、及び５Ｂに示したRE３Ｂと同じである。
【００７２】
ＨＯ制御ユニット５１は、エア・インタフェースにより通信中の移動局が他の基地局（ターゲット基地局）にハンドオーバーする際に、バッファ２１Ａ又は２１Ｂに保持された当該移動局に関するダウンリンク・ユーザーデータ又はこれを含むデータ列をターゲット基地局に転送する。ターゲット基地局へのユーザーデータ転送は、通常のハンドオーバー手順と同様である。つまり、ターゲット基地局へのユーザーデータ転送は、基地局間で利用可能なインタフェース（e.g. X2インタフェース）を用いて行なわれてもよいし、上位ネットワークを経由して行なわれてもよい。
【００７３】
図６において、REC４Ａは、ベアラ終端ユニット１０においてPDCPサブレイヤの処理（e.g. IPヘッダ圧縮、暗号化）を行うよう構成されてもよい。この場合、BBユニット１１は、PDCPサブレイヤを除く他のベースバンド信号処理（i.e. RLC及びMAC及びサブレイヤの処理、並びにBB-PHY処理）を行えばよい。また、この場合、バッファ２１Ａ及び２１Ｂは、PDCP PDUを移動局毎、ベアラ毎、QoSクラス毎、又は移動局毎かつQoSクラス毎に格納すればよい。
【００７４】
図６に示した構成例では、REC４Ａのスケジューラ２０Ａが使用される場合に、REC４Ａがユーザーデータ又はこれを含むデータ列（e.g. PDCP PDU）をバッファリングする。このため、ハンドオーバーの際にターゲット基地局へのデータ転送を容易に行うことができる。つまり、ハンドオーバーに際して、RE４ＢからREC４Ａへのデータ転送を必要としない。また、REC４Ａに接続された複数のRE４Ｂの間で移動局が移動する場合には、REC４Ａは、バッファリングされているユーザーデータ又はこれを含むデータ列（e.g. PDCP PDU）の送信先を移動先のRE４Ｂに変更するだけでよい。このため、移動局の移動に追随して継続的なサービスを容易に提供できる。
【００７５】
＜発明の実施の形態５＞
発明の実施の形態１〜４で既に説明したように、BBユニット１１によって行われるデジタルベースバンド処理の少なくとも一部（e.g. レイヤ２信号処理、PDCPサブレイヤ処理）は、RECに配置されてもよい。本実施の形態では、RECがレイヤ２信号処理の一部を行い、REが他の処理を行う例について説明する。
【００７６】
図７は、本実施の形態に係る無線基地局５の構成例を示すブロック図である。無線基地局５は、第１のパートすなわちRadio Equipment Controller（REC）５Ａと、少なくとも１つの第２のパートすなわちRadio Equipment（RE）５Ｂを有する。なお、図７では１つのRE５Ｂのみが図示されているが、図１に示したように、REC５Ａには複数のRE５Ｂが接続されてもよい。図７の構成例では、REC５Ａは、レイヤ２信号処理の一部である(i) データ圧縮／復元、(ii) データ暗号化、(iii) レイヤ２ヘッダの追加／削除、(iv)データのセグメンテーション／コンカテネーションを行う。一方、RE５Ｂは、レイヤ２信号処理の一部である(v) データの多重／分離による転送フォーマットの生成／分解を行う。また、RE５Ｂは、伝送路符号化／復号化（Channel Coding/Decoding）、及び変調／復調（Modulation/Demodulation）を含む物理レイヤのベースバンド信号処理を行う。そのために、REC５Ａは、PDCPユニット１１０及びRLCユニット１１１を有する。また、RE５Ｂは、MACユニット１１２及びBB-PHYユニット１２４を有する。
【００７７】
図７の構成例では、バッファ２１Ａ及び２１Ｂは、RLCサブレイヤの処理後のRLC PDU、つまり移動局毎の論理チャネル（e.g. DTCH（Dedicated Data channel））、を保持する。
【００７８】
RE５Ｂにエア・インタフェースを接続する移動局に関する動的スケジューリングのためにREC５Ａのスケジューラ２０Ａが使用される場合、スケジューラ２０Ａは、動的スケジューリングのための制御情報をRLCユニット１１１、バッファ２１Ａ、MACユニット１１２、BB-PHYユニット１２４に供給する。一方、この動的スケジューリングのためにRE５Ｂのスケジューラ２０Ｂが使用される場合、スケジューラ２０Ｂは、動的スケジューリングのための制御情報をRLCユニット１１１、バッファ２１Ｂ、MACユニット１１２、BB-PHYユニット１２４に供給する。スケジューラ２０Ａ及び２０Ｂのいずれを使用するかの選択は、例えば実施の形態１〜４で述べたのと同様の具体例１〜９のいずれか又はこれらの任意の組み合わせに従って行えばよい。
【００７９】
図７の構成例では、伝送路符号化／復号化を行うBB-PHYユニット１２４がRE５Ｂに配置されている。BB-PHYユニット１２４による伝送路符号化／復号化は、例えば、ターボ符号、ビタビ符号、又はリード・ソロモン符号等の符号化アルゴリズムを用いて行われる。つまり、無線基地局５は、スケジューラ２０Ａ及び２０Ｂのいずれを使用するかに関わらず、伝送路符号化／復号化をRE５Ｂにおいて行う。これにより、伝送路４０上で送信されるユーザーデータを含むデータ列には、伝送路符号化（e.g. ブロック符号化、畳み込み符号化、又はターボ符号化）による冗長データが含まれないため、REC５ＡとRE５Ｂとの間の送信データ量を抑制することができる。
【００８０】
一方、図７の構成例では、PDCPユニット１１０及びRLCユニット１１１がREC５Ａに配置されている。このため、スケジューラ２０Ａは、バッファ２１Ａに保持された移動局毎のRLC PDU、つまり移動局毎の論理チャネル（e.g. DTCH）を適切なRE５Ｂに送信するよう制御すればよい。したがって、複数のRE５Ｂの間での協調的なスケジューリングを容易に行うことができる。
【００８１】
また、図７の構成例では、REC５Ａ及びRE５Ｂは、デジタルベースバンド信号処理を分担して行う。つまり、無線基地局５は、デジタルベースバンド信号処理の負荷分散が可能である。
【００８２】
図８Ａ及び図８Ｂは、無線基地局５おける機能配置を、E-UTRAでのユーザーデータのダウンリンク送信に関して詳細に示している。図８Ａに示された機能配置は、図７の構成例においてREC５Ａのスケジューラ２０Ａが使用される場合に対応している。一方、図８Ｂに示された機能配置は、RE５Ｂのスケジューラ２０Ｂが使用される場合に対応している。図８Ａの例では、MAC-PDU（i.e. トランスポートチャネル）がREC５ＡからRE５Ｂに転送される。図８Ｂの例では、レイヤ２処理前のユーザーデータがREC５ＡからRE５Ｂに転送される。
【００８３】
＜発明の実施の形態６＞
図９は、本実施の形態に係る無線基地局６の構成例を示すブロック図である。無線基地局６は、第１のパートすなわちRadio Equipment Controller（REC）６Ａと、少なくとも１つの第２のパートすなわちRadio Equipment（RE）６Ｂを有する。REC６Ａは、バッファ２１Ａ、及びBBユニット１１Ａを有する。RE６Ｂは、バッファ２１Ｂ、及びBBユニット１１Ｂを有する。なお、図９では１つのRE６Ｂのみが図示されているが、図１に示したように、REC６Ａには複数のRE６Ｂが接続されてもよい。
【００８４】
BBユニット１１Ｂは、RE６Ｂにエア・インタフェースを接続する移動局に関するデジタルベースバンド信号処理をBBユニット１１Ａに代わって行うことができる。無線基地局６は、スケジューラ２０Ａ及び２０Ｂのいずれを使用するかの選択に応じて、BBユニット１１Ａ及び１１Ｂのいずれか一方を二者択一的に使用する。具体的に述べると、無線基地局６は、RE６Ｂにエア・インタフェースを接続する移動局に関する動的スケジューリングのためにスケジューラ２０Ａを使用する場合に、REC６Ａに配置されたバッファ２１Ａ、及びBBユニット１１Ａを使用する。一方、無線基地局６は、この動的スケジューリングのためにスケジューラ２０Ｂを使用する場合に、RE６Ｂに配置されたバッファ２１Ｂ、及びBBユニット１１Ｂを使用する。
【００８５】
BBユニット１１Ａ及び１１Ｂのいずれを使用するかの選択は、無線基地局６に配置されたコントローラ５０が行なってもよいし、リソース制御装置又はOAMシステム等の外部装置が行なってもよい。また、この選択は、例えば実施の形態１〜５で述べたのと同様の具体例１〜９のいずれか又はこれらの任意の組み合わせに従って行えばよい。
【００８６】
無線基地局６は、例えば、複数のRE６Ｂと１つの移動局の間での協調的な送受信（e.g. CoMP）が必要である場合に、動的スケジューリングのためにREC６Ａのスケジューラ２０Ａ、バッファ２１Ａ、及びBBユニット１１Ａを使用すればよい。これにより、REC６Ａは、複数のRE６Ｂに関する集中的な無線リソース制御を行うことができるため、協調的な送受信（e.g. CoMP）を比較的に容易に行うことができる。
【００８７】
一方、無線基地局６は、複数のRE６Ｂと１つの移動局の間での協調的な送受信（e.g. CoMP）が不要であるときは、各RE６Ｂのスケジューラ２０Ｂ、バッファ２１Ｂ、及びBBユニット１１Ｂを使用してもよい。これにより、REC-RRH間のトラフィック量を削減できる。また、REC６Ａの消費電力の削減に寄与できる。
【００８８】
図１０Ａ及び図１０Ｂは、無線基地局６おける機能配置を、E-UTRAでのユーザーデータのダウンリンク送信に関して詳細に示している。図１０Ａに示された機能配置は、図９の構成例においてREC６Ａのスケジューラ２０Ａ、バッファ２１Ａ、及びBBユニット１１Ａが使用される場合に対応している。一方、図１０Ｂに示された機能配置は、RE６Ｂのスケジューラ２０Ｂ、バッファ２１Ｂ、及びBBユニット１１Ｂが使用される場合に対応している。図１０Ａの例では、OFDMシンボルデータ（ベースバンドOFDM信号）がREC６ＡからRE６Ｂに転送される。図１０Ｂの例では、ユーザーデータがREC６ＡからRE６Ｂに転送される。
【００８９】
＜発明の実施の形態７＞
発明の実施の形態６では、BBユニット１１Ａ及び１１ＢがREC６Ａ及びRE６Ｂのそれぞれに配置される例を示した。しかしながら、REC及びREの両方に配置され、いずれか一方が二者択一的に使用されるデジタルベースバンド処理機能は、ユーザーデータに対して行うべきレイヤ２及び物理レイヤのデジタル信号処理の一部のみであってもよい。本実施の形態では、レイヤ２信号処理（L2）がREC及びREの両方に配置され、物理レイヤのデジタル信号処理（BB-PHY）がREのみに配置される例について説明する。
【００９０】
図１１は、本実施の形態に係る無線基地局７の構成例を示すブロック図である。無線基地局７は、第１のパートすなわちRadio Equipment Controller（REC）７Ａと、第２のパートすなわちRadio Equipment（RE）７Ｂを有する。図１１の構成例では、REC７Ａ及びRE７Ｂは、レイヤ２ユニット１１３Ａ及び１１３Ｂをそれぞれ有する。RE７Ｂは、BB-PHYユニット１２４をさらに有する。
【００９１】
レイヤ２ユニット１１３Ａ及び１１３Ｂは、動的スケジューリングを除くレイヤ２信号処理を行うことができる。レイヤ２信号処理は、(i) データ圧縮／復元、(ii) データ暗号化、(iii) レイヤ２ヘッダのヘッダ追加／削除、及び データのセグメンテーション／コンカテネーション、(v) データの多重／分離による転送フォーマットの生成／分解、のうち少なくとも１つを含む。具体例の１つとしてのE-UTRAの場合、レイヤ２信号処理は、RLCサブレイヤ及びMACサブレイヤの処理を含む。なお、E-UTRAは、RLCサブレイヤの上位サブレイヤとしてPDCPサブレイヤをさらに含む。しかしながら、PDCPサブレイヤにおける処理（e.g. IPヘッダ圧縮、暗号化）は、必須ではなく省略されてもよい。
【００９２】
BB-PHYユニット１２４は、レイヤ２ユニット１１３Ａ又は１１３Ｂと選択的に結合される。すなわち、BB-PHYユニット１２４は、レイヤ２処理後のデータ列（e.g. MAC PDU、トランスポートチャネル）をレイヤ２ユニット１１３Ａ又は１１３Ｂから受信し、変調シンボルデータ（又はOFDMシンボルデータ）を生成する。また、BB-PHYユニット１２４は、RF-PHYユニット１３からベースバンド受信信号列を受信し、アップリンクデータ列（e.g. MAC PDU、トランスポートチャネル）を生成し、これをレイヤ２ユニット１１３Ａ又は１１３Ｂに供給する。
【００９３】
レイヤ２ユニット１１３Ｂは、RE７Ｂにエア・インタフェースを接続する移動局に関するレイヤ２信号処理をレイヤ２ユニット１１３Ａに代わって行うことができる。無線基地局６は、スケジューラ２０Ａ及び２０Ｂのいずれを使用するかの選択に応じて、レイヤ２ユニット１１３Ａ及び１１３Ｂのいずれか一方を二者択一的に使用する。具体的に述べると、無線基地局７は、RE７Ｂにエア・インタフェースを接続する移動局に関する動的スケジューリングのためにスケジューラ２０Ａを使用する場合に、REC７Ａに配置されたバッファ２１Ａ、及びレイヤ２ユニット１１３Ａを使用する。一方、無線基地局７は、この動的スケジューリングのためにスケジューラ２０Ｂを使用する場合に、RE７Ｂに配置されたバッファ２１Ｂ、及びレイヤ２ユニット１１３Ｂを使用する。
【００９４】
レイヤ２ユニット１１３Ａ及び１１３Ｂのいずれを使用するかの選択は、無線基地局７に配置されたコントローラ５０が行なってもよいし、リソース制御装置又はOAMシステム等の外部装置が行なってもよい。また、この選択は、例えば実施の形態１〜５で述べたのと同様の具体例１〜９のいずれか又はこれらの任意の組み合わせに従って行えばよい。
【００９５】
以上に述べたように、本実施の形態に係る無線基地局７は、レイヤ２ユニット１１３Ａ及び１１３Ｂのいずれを使用するかを選択できるよう構成されている。したがって、無線基地局７は、例えば、REC７Ａの処理負荷の削減というニーズ、及び複数のRE７Ｂ間での協調制御の実現というニーズ等の複数のニーズのうち、優先的に達成すべきニーズに応じて、レイヤ２信号処理をREC７Ａが行うか又はRE７Ｂが行うかを適宜選択することができる。
【００９６】
REC７Ａのレイヤ２ユニット１１３Ａが使用される場合、無線基地局７は、複数のRE７Ｂに関する協調的な送受信（e.g. CoMP）を比較的容易に行うことができる。なぜなら、スケジューラ２０Ａは、動的スケジューリングの実行に際して、REC７Ａに配置されたレイヤ２ユニット１１３Ａを制御すればよいためである。また、無線基地局７は、REC７Ａに配置されたレイヤ２ユニット１１３Ａを複数のRE７Ｂに関するユーザーデータの処理のために共用することができる。したがって、無線基地局７は、レイヤ２ユニット１１３Ａを効率的に使用することができる。さらに、REC７Ａのレイヤ２ユニット１１３Ａが使用される場合であっても、伝送路４０上で送信されるユーザーデータを含むデータ列は、伝送路符号化（e.g. ブロック符号化、畳み込み符号化、又はターボ符号化）による冗長データを含まない。伝送路符号化／復号化を行うためのBB-PHYユニット１２４がRE７Ｂに配置されているためである。したがって、無線基地局７は、レイヤ２ユニット１１３Ａ及び１１３Ｂのいずれを使用するかに関わらず、REC７ＡとRE７Ｂとの間の送信データ量を抑制することができる。
【００９７】
図１２Ａ及び図１２Ｂは、無線基地局７おける機能配置を、E-UTRAでのユーザーデータのダウンリンク送信に関して詳細に示している。図１２Ａに示された機能配置は、図１１の構成例においてREC７Ａのレイヤ２ユニット１１３Ａが使用される場合に対応している。一方、図１２Ｂに示された機能配置は、RE７Ｂのレイヤ２ユニット１１３Ｂが使用される場合に対応している。図１２Ａの例では、MAC-PDU（i.e. トランスポートチャネル）がREC７ＡからRE７Ｂに転送される。図１２Ｂの例では、レイヤ２処理前のユーザーデータがREC７ＡからRE７Ｂに転送される。
【００９８】
＜発明の実施の形態８＞
実施の形態１で述べたように、スケジューラ２０Ｂがスケジューラ２０Ａに代わって行う動的スケジューリングは、RE１Ｂに接続する移動局に関する動的スケジューリングの一部のみでもよい。この場合、スケジューラ２０Ｂは、RE１Ｂに接続する移動局に関する動的スケジューリングのためにスケジューラ２０Ａと協調して動作する。なお、本実施の形態にかかる無線基地局８の構成は、上述した無線基地局１〜７のいずれかと同様とすればよい。つまり、無線基地局８は、REC８Ａ及びRE８Ｂを含む。また、スケジューラ２０Ａ及び２０Ｂのいずれを使用するかの選択は、例えば実施の形態１〜７で述べたのと同様の具体例１〜９のいずれか又はこれらの任意の組み合わせに従って行えばよい。以下では、スケジューラ２０Ａとスケジューラ２０Ｂの機能分担の具体例について以下に説明する。
【００９９】
第１の例では、スケジューラ２０Ｂは、動的スケジューリングに使用されるパラメータをエア・インタフェースの無線通信品質に基づいて計算し、スケジューラ２０Ａに送信する。PFスケジューリング及びMax-C/Iスケジューリング等の主要なスケジューリング手法は、エア・インタフェースの無線通信品質を利用する。例えば、PFスケジューリングでは、移動局間での送信機会の公平性を担保するために、移動局の瞬間的な予測される無線通信品質と、過去の平均的な無線通信品質との比率をパラメータとして用いる。このパラメータは、PFメトリックと呼ばれる。PFメトリックの計算に使用される無線通信品質は、データレート、Signal to Interference Ratio（SINR）などである。PFメトリックは、例えば、瞬時SINRと平均SINRの比率（i.e. 瞬時SINR／平均SINR）として計算される。
【０１００】
スケジューラ２０Ｂが、無線通信品質を用いた計算を実行してPFメトリックなどのパラメータを求めることにより、スケジューラ２０Ａの処理量を削減できる。さらに、伝送路４０を用いてRE５ＢからREC５Ａに送信するべきデータ量を削減できる。REC５Ａにおいてパラメータ（e.g. PFメトリック）の計算を行う場合、現在及び過去の無線通信品質の測定結果をRE８ＢからREC８Ａに送信する必要がある。しかしながら、スケジューラ２０Ｂがパラメータの計算を行う場合、現在及び過去の無線通信品質の測定結果に代えて、計算されたパラメータのみを転送すればよい。
【０１０１】
図１３は、スケジューラ２０ＢがPFメトリックの計算を行う場合のスケジューラ２０Ａ及び２０Ｂの動作を示すシーケンス図である。ステップＳ１１では、移動局（UE）が品質情報を送信する。この品質情報は、移動局によって測定されたダウンリンクの無線通信品質を示す。ステップＳ１２では、スケジューラ２０Ｂは、移動局から受信した品質情報を用いてPFメトリックを計算する。ステップＳ１３では、スケジューラ２０Ｂは、スケジューラ２０ＡにPFメトリックを送信する。ステップＳ１４では、スケジューラ２０Ａは、スケジューラ２０Ｂから受信したPFメトリックを用いて動的スケジューリングを実行し、これによりダウンリンクの各無線リソースに割り当てる移動局又はユーザーデータを決定する。
【０１０２】
次に、スケジューラ２０Ａとスケジューラ２０Ｂの機能分担に関する第２の例を説明する。第２の例では、スケジューラ２０Ｂは、H-ARQの再送信、又はRLCサブレイヤの再送信のためのスケジューリングを実施する。具体的には、スケジューラ２０Ｂは、ダウンリンク送信データをバッファリングしておき、移動局が再送信を要求した場合に、スケジューラ２０Ａからの再送指示に基づいて再送信を行う。例えば、スケジューラ２０Ｂは、直前の送信と同じ無線リソースを再送信のために割り当てればよい。これより、スケジューラ２０Ａの処理量を削減できる。さらに、REC８ＡからRE８Ｂに再送信データを転送する必要がないため、伝送路４０での送信データ量を削減できる。
【０１０３】
図１４は、スケジューラ２０Ｂが再送信を制御する場合のスケジューラ２０Ａ及び２０Ｂの動作を示すシーケンス図である。ステップＳ２１では、スケジューラ２０Ｂは、ダウンリンク送信データをバッファリングする。ステップＳ２２では、移動局が再送要求（e.g. NACK）を送信し、スケジューラ２０Ａがこれを受信する。ステップＳ２３では、スケジューラ２０Ａは、スケジューラ２０Ｂに再送信を指示する。ステップＳ２４では、スケジューラ２０Ｂは、スケジューラ２０Ａの指示に応じて再送信を行う。
【０１０４】
＜その他の実施の形態＞
発明の実施の形態１〜７で説明した無線基地局１〜７は、中継局であってもよい。当該中継局は、基地局と第１の無線リンク（バックホールリンク）を接続し、移動局と第２の無線リンク（アクセスリンク）を接続し、基地局と移動局との間でデータ中継を行う。
【０１０５】
発明の実施の形態１〜８で説明したベアラ終端ユニット、BBユニット、レイヤ２ユニット、BB-PHYユニット、及びスケジューラは、ASIC（Application Specific Integrated Circuit）、DSP（Digital Signal Processor）などを含む半導体処理装置を用いて実装されてもよい。また、これらのユニットは、マイクロプロセッサ等のコンピュータにプログラムを実行させることによって実装されてもよい。
【０１０６】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０７】
また、発明の実施の形態１〜８は、適宜組み合わせることも可能である。さらに、本発明は上述した実施の形態のみに限定されるものではなく、既に述べた本発明の要旨を逸脱しない範囲において種々の変更が可能であることは勿論である。
【０１０８】
この出願は、２０１１年１１月２５日に出願された日本出願特願２０１１−２５７４７８を基礎とする優先権を主張し、その開示の全てをここに取り込む。
【符号の説明】
【０１０９】
１〜８  無線基地局
１Ａ〜７Ａ  Radio Equipment Controller（REC）
１Ｂ〜７Ｂ  Radio Equipment（RE）
１０、１０Ａ、１０Ｂ  ベアラ終端ユニット
１１、１１Ａ、１１Ｂ  BBユニット
１３  RF-PHYユニット
１４  アンテナ
２０Ａ、２０Ｂ  スケジューラ
２１Ａ、２１Ｂ  バッファ
３０、３１  内部インタフェース
４０  伝送路
５０  コントローラ
５１  ハンドオーバー制御ユニット
１１０  PDCPユニット
１１１  RLCユニット
１１２  MACユニット
１１３Ａ、１１３Ｂ  レイヤ２ユニット
１２０  符号化ユニット
１２１  変調ユニット
１２２  リソースマッピング・ユニット
１２３  IFFTユニット
１２４、１２４Ａ、１２４Ｂ  BB-PHYユニット
１３０  アップコンバータ
１３１  増幅器
【図１】
2013076898.tif 000003
【図２】
2013076898.tif 000004
【図３Ａ】
2013076898.tif 000005
【図３Ｂ】
2013076898.tif 000006
【図４】
2013076898.tif 000007
【図５Ａ】
2013076898.tif 000008
【図５Ｂ】
2013076898.tif 000009
【図６】
2013076898.tif 000010
【図７】
2013076898.tif 000011
【図８Ａ】
2013076898.tif 000012
【図８Ｂ】
2013076898.tif 000013
【図９】
2013076898.tif 000014
【図１０Ａ】
2013076898.tif 000015
【図１０Ｂ】
2013076898.tif 000016
【図１１】
2013076898.tif 000017
【図１２Ａ】
2013076898.tif 000018
【図１２Ｂ】
2013076898.tif 000019
【図１３】
2013076898.tif 000020
【図１４】
2013076898.tif 000021
【国際調査報告】
2013076898.tif 000022
2013076898.tif 000023
2013076898.tif 000024
2013076898.tif 000025
2013076898.tif 000026
2013076898.tif 000027
2013076898.tif 000028
2013076898.tif 000029
2013076898.tif 000030
2013076898.tif 000031
2013076898.tif 000032
2013076898.tif 000033
2013076898.tif 000034
2013076898.tif 000035